(57)【要約】【課題】煩雑さをなくし、ユーザが原稿を確実に回収できるような画像読取装置を提供する。【解決手段】原稿がセットされ、読取り指示が入力されていることを判別すると（ＳＰ１，ＳＰ２）、原稿を読取り（ＳＰ３）、「原稿の取り忘れがないか」、「はい」、「いいえ」のメッセージを表示し（ＳＰ４）、「はい」の指示があれば読取データを送信し（ＳＰ５，ＳＰ６）、「いいえ」の指示があれば原稿を取り除くことを促すメッセージを表示する（ＳＰ７）。【選択図】図３
2008187521.tif 000002
【特許請求の範囲】
【請求項１】
読取手段による原稿の読取データを外部に出力する画像読取装置であって、
前記読取手段による前記原稿の読取り後に、前記原稿が回収されたか否かを示す問い合わせ情報を表示する表示手段と、
前記問い合わせ情報に対する回答をユーザが入力するための入力手段と、
前記入力手段からの回答に応じて、前記読取データの出力を制御する制御手段とを備える、画像読取装置。
【請求項２】
前記制御手段は、前記入力手段から前記原稿を回収したと回答されたことに応じて、前記読取データを出力する、請求項１に記載の画像読取装置。
【請求項３】
前記制御手段は、前記入力手段から前記原稿を回収したと回答されたことに応じて、前記読取データを識別する識別情報を前記表示手段に表示する、請求項１または２に記載の画像読取装置。
【請求項４】
前記制御手段は、前記入力手段から前記原稿が回収されていないと回答されたことに応じて、前記原稿を回収するように促す情報を前記表示手段に表示する、請求項１に記載の画像読取装置。
【請求項５】
さらに、前記読取データが与えられる端末装置を含み、
前記端末装置は、
端末表示手段と、
前記読取データが与えられたことに応じて、前記原稿が回収されたか否かを示す問い合わせ情報を前記端末表示手段に表示する端末制御手段を含む、請求項１から４のいずれかに記載の画像読取装置。
【請求項６】
前記端末装置は、
前記問い合わせに対する回答をユーザが入力する端末入力手段と、
前記端末入力手段から前記原稿を回収したと回答されたことに応じて、前記読取データを識別する識別情報を前記端末表示手段に表示する端末制御手段とを含む、請求項５に記載の画像読取装置。
【発明の詳細な説明】
【技術分野】
【０００１】
この発明は、スキャナや、コピー機およびデジタル複合機などの読取部を含むような画像読取装置に関する。
【背景技術】
【０００２】
スキャナや、コピー機や、デジタル複合機などにおいて、ユーザが原稿を読取部にセットして読取を指示して原稿を読取らせた後、原稿を取り忘れることがしばしばある。そこで、このような不具合を解消するために、例えば特開平１１−３３８３１７号公報（特許文献１）には、ユーザが所持するＰＨＳ端末装置の端末ＩＤを格納しておき、そのユーザが原稿を読取らせた後、その原稿やコピーを取り忘れたときには、そのユーザが所持するＰＨＳ端末装置を呼び出して、原稿やコピーの取り忘れを通知する画像処理装置について記載されている。
【０００３】
また、特開２００６−１７４１０７号公報（特許文献２）には、全ての画像データの読取が終了した後、読取後の原稿を回収するようにメッセージを表示し、ユーザが原稿を回収すると同時に原稿の回収を確認し、印刷開始を指示するために指示入力装置から指示すると、印刷を開始する画像形成装置について記載されている。
【特許文献１】特開平１１−３３８３１７号公報（要約、図１）
【特許文献２】特開２００６−１７４１０７号公報（要約、図７）
【発明の開示】
【発明が解決しようとする課題】
【０００４】
特許文献１に記載されている画像処理装置はＰＨＳ端末装置を所持しているユーザに対してのみしか原稿の取り忘れを通知することができず、各ユーザごとにＰＨＳ端末装置の端末ＩＤを画像処理装置に格納しておかなければならず煩雑である。
【０００５】
特許文献２に記載されている画像形成装置は、原稿の読取後に原稿を回収するようにメッセージを表示するのみであり、ユーザが原稿を回収することなく印刷開始を指示すると印刷動作が行われるので、やはり原稿の取り忘れを防止できない。
【０００６】
そこで、この発明の目的は、煩雑さをなくし、ユーザが原稿を確実に回収できるような画像読取装置を提供することである。
【課題を解決するための手段】
【０００７】
この発明の画像読取装置は、読取手段による原稿の読取データを外部に出力する画像読取装置であって、読取手段による原稿の読取り後に、原稿が回収されたか否かを示す問い合わせ情報を表示する表示手段と、問い合わせ情報に対する回答をユーザが入力するための入力手段と、入力手段からの回答に応じて、読取データの出力を制御する制御手段とを備える。
【０００８】
好ましくは、制御手段は、入力手段から原稿を回収したと回答されたことに応じて、読取データを出力する。
【０００９】
好ましくは、制御手段は、入力手段から原稿を回収したと回答されたことに応じて、読取データを識別する識別情報を表示手段に表示する。
【００１０】
好ましくは、制御手段は、入力手段から原稿が回収されていないと回答されたことに応じて、原稿を回収するように促す情報を表示手段に表示する。
【００１１】
好ましくは、さらに、読取データが与えられる端末装置を含み、端末装置は、端末表示手段と、読取データが与えられたことに応じて、原稿が回収されたか否かを示す問い合わせ情報を端末表示手段に表示する端末制御手段を含む。
【００１２】
好ましくは、端末装置は、問い合わせに対する回答をユーザが入力する端末入力手段と、端末入力手段から原稿を回収したと回答されたことに応じて、読取データを識別する識別情報を端末表示手段に表示する端末制御手段とを含む。
【発明の効果】
【００１３】
この発明は、原稿の読取り後に、原稿が回収されたか否かをユーザに問い合わせるための表示を行い、ユーザによる回答結果に基づいて読取りデータの出力を制御するようにしたので、煩雑さを生じることなく、ユーザが原稿を確実に回収できる。
【発明を実施するための最良の形態】
【００１４】
図１はこの発明の一実施形態に係る画像読取装置を含むデジタル複合機１０を示すブロック図であり、図２は図１に示したパソコンのブロック図である。
【００１５】
まず、図１を参照して、デジタル複合機１０は、制御手段として作動する制御部１１と、ＤＲＡＭ１２と、入力手段および表示手段として作動する操作表示部１３と、読取手段として作動する画像読取り部１５と、画像形成部１６と、ハードディスク（Ｈａｒｄ  Ｄｉｓｋ：ＨＤＤ）１７と、ＦＡＸ通信部１８と、ネットワークＩＦ（インタフェース）部１９とを含む。
【００１６】
制御部１１は、デジタル複合機１０全体を制御し、画像読取り部１５から与えられる読取データをＤＲＡＭ１２に圧縮符号化して書き込み、ＤＲＡＭ１２に書き込んだ読取データを読出し、伸張符号化して画像形成部１６により出力する。操作表示部１３は、操作と表示を行うものである。操作表示部１３は、画像読取り部１５による読取りを指令する読取りキーなどを含むタッチパネルで構成されており、デジタル複合機１０におけるユーザとのインタフェースとなる。画像読取り部１５は、原稿から読取データを所定の読取り位置で読取る。
【００１７】
画像形成部１６は、画像読取り部１５で原稿から読取られた読取データに基づく画像を形成する印刷装置を含む。ハードディスク１７は、文書データやデジタル複合機の特定情報などを格納する。ＦＡＸ通信部１８は、公衆回線２０に接続され、ネットワークＩＦ部１９は、ネットワーク２１を介して端末装置として作動するパソコン２２ａ，２２ｂ，２２ｃと接続される。
【００１８】
デジタル複合機１０は、画像読取り部１５により原稿を読取り、ＤＲＡＭ１２を介してネットワークＩＦ部１９を介して外部のネットワーク２１に読取データを出力するスキャナとして作動する。
【００１９】
なお、デジタル複合機１０は、画像読取り部１５により原稿を読取り、読取データをＤＲＡＭ１２を介して画像形成部１６に出力して画像を形成することにより、複写機としても作動する。さらに、デジタル複合機１０は、ネットワークＩＦ部１９を通じて、ネットワーク２１に接続されたパソコン２２ａ〜２２ｃのいずれかから送信された読取データを用いて、ＤＲＡＭ１２を介して画像形成部１６において画像を形成することにより、プリンタとして作動する。
【００２０】
また、デジタル複合機１０は、ＦＡＸ通信部１８を通じて、公衆回線２０から送信された読取データを用いて、ＤＲＡＭ１２を介して画像形成部１６において画像を形成することにより、また、画像読取り部１５により読取られた読取データを、ＦＡＸ通信部１８を通じて公衆回線２０に送信することにより、ファクシミリ装置として作動する。
【００２１】
なお、図１において太線の矢印は読取データの流れを示しており、細線の矢印は制御信号または制御情報の流れを示している。
【００２２】
パソコン２２ａは、端末制御手段として作動する制御部２２１と、端末入力手段として作動する入力部２２２と、端末表示手段として作動する表示部２２３と、メモリ２２４と、ＩＦ部２２５とを含む。ＩＦ部２２５は図１に示したネットワーク２１に接続されており、デジタル複合機１０との間のインタフェースとなる。制御部２２１はパソコン２２ａの全体の制御を行う。他のパソコン２２ｂ、２２ｃもパソコン２２ａと同様にして構成されている。
【００２３】
図３はこの発明の一実施形態の画像読取装置を含むデジタル複合機１０の動作を説明するためのフローチャートであり、図４はデジタル複合機１０の操作表示部１３に表示される操作画面を示す図である。
【００２４】
まず、図１から図４を参照して、デジタル複合機１０をスキャナとして動作させる場合の動作について説明する。この場合、ユーザが操作表示部１３を操作して原稿を画像読取部１５で読取り、読取データを例えばパソコン２２ａに出力するものとする。ユーザは原稿を画像読取り部１５にセットして操作表示部１３から原稿の読取り指示を与える。制御部１１は、図３に示すステップ（図示ではＳＰと略称する）ＳＰ１において、原稿が画像読取り部１５にセットされているか否かを判別し、原稿がセットされていることを判別すると、ステップＳＰ２において読取り指示が入力されたか否かを判別する。
【００２５】
読取り指示の入力されたことを判別すると、ステップＳＰ３において、画像読取り部１５によって原稿を読取り、読取データをＤＲＡＭ１２に格納する。ステップＳＰ４において、制御部１１は操作表示部１３に図４（Ａ）に示すように「原稿の取り忘れはないですか」という問い合わせ情報と、「はい」、「いいえ」の回答を指示するためのキーの表示を行う。ユーザはその表示を見て原稿を回収し、「はい」の表示キーに手を触れる。
【００２６】
ステップＳＰ５において、「はい」の指示が与えられたか否かを判別しており、「はい」の指示があると、ステップＳＰ６において、ＤＲＡＭ１２に格納されている読取データを、ネットワークＩＦ部１９からネットワーク２１を介してパソコン２２ａに送信する。パソコン２２ａでは、制御部２２１がＩＦ部２２５を介して、その読取データを取り込み、メモリ２２４に記憶する。
【００２７】
ステップＳＰ５において、「いいえ」の指示があったことを判別したときには、ステップＳＰ７において、操作表示部１３に、図４（Ｂ）に示すように、例えば「原稿を取り除いて下さい。」などのようにユーザに原稿の取り除くことを喚起するメッセージを表示する。
【００２８】
なお、ステップＳＰ７の後、操作表示部１３に「原稿を取り除きましたか。」の問い合わせ情報と、「はい」、「いいえ」の回答を表示し、「はい」が指示されたときにステップＳＰ５に戻り、ステップＳＰ６で読取データを送信するようにしてもよい。
【００２９】
上述のごとく、この実施形態によれば、原稿を読取った時点において、操作表示部１３に「原稿の取り忘れはないですか」というメッセージとともに、「はい」、「いいえ」のキーを表示するようにしたので、ユーザに対して原稿を回収することを喚起でき、「はい」を指示したときのみ、読取データを出力するようにしたので、原稿の取り忘れを確実に防止できる。
【００３０】
なお、「はい」の指示があったときのみ、その読取りデータの識別情報としてのアクセスコードを表示してもよい。アクセスコードを表示することにより、そのアクセスコードを知っているユーザのみがその読取りデータをアクセスすることが可能になり、セキュリティ性を高めることができる。
【００３１】
上述の説明では、原稿の取り忘れの問い合わせ情報を操作表示部１３に表示するようにしたが、ユーザに対して原稿の回収を再確認させるために、パソコン２２ａ側に表示してもよい。
【００３２】
図５はそのような表示例を示す図である。図１に示したデジタル複合機１０から読取りデータがパソコン２２ａに出力されたときに、パソコン２２ａの制御部２２１は、図５（Ａ）に示すように「読取データを受信しました。」の情報と、「原稿の取り忘れはないですか。」の問い合わせ情報と、「はい」、「いいえ」の回答を指示するキーを表示部２２３に表示する。ユーザはその表示を見て、デジタル複合機１０の画像読取り部１５で読取られた原稿を回収し、その後パソコン２２ａの入力部２２２を操作して「はい」の表示をマウスなどでクリックする。
【００３３】
「はい」を指示すると、図５（Ｂ）に示すように、「読取りデータのアクセスコードは「××××」です。」を表示し、「いいえ」を指示したときには図５（Ｃ）に示すように「原稿を取り除いてください。」の情報を表示する。
【００３４】
このように、パソコン２２ａに「原稿の取り忘れはないですか。」という問い合わせ情報とともに、「はい」、「いいえ」を指示するキーを表示することにより、ユーザに対して原稿の回収を再確認させることができるので、原稿の回収を確実にするができる。
【００３５】
なお、デジタル複合機１０側で原稿忘れを検出したときや、原稿押さえが開かれることなく原稿が画像読取り部１５に載置されることなくスキャンした場合などのときのみ、パソコン２２ａ側に原稿の回収を問い合わせる情報と指示するキーとを表示するようにしてもよい。
【００３６】
また、デジタル複合機１０で原稿の読取りを指示することなくパソコン２２ａから読取り指示を与えるようにしてもよい。
【００３７】
さらに、図５に示した実施形態は、この発明の原稿読取装置をデジタル複合機１０のスキャナとして使用する場合について説明したが、これに限ることなく、デジタル複合機１０でコピー機やＦＡＸの送信機として使用する場合にも適用できる。また、デジタル複合機１０に限ることなく、スキャナやコピー機やＦＡＸ送信機などの単体機器に適用してもよい。
【００３８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００３９】
【図１】この発明の一実施形態における画像読取装置を含むデジタル複合機を示すブロック図である。
【図２】図１に示したパソコンのブロック図である。
【図３】この発明の一実施形態の画像読取装置を含むデジタル複合機の動作を説明するためのフローチャートである。
【図４】デジタル複合機の操作表示部に表示される操作画面を示す図である。
【図５】パソコンの表示部に表示される操作画面を示す図である。
【符号の説明】
【００４０】
１０  デジタル複合機、１１，２２１  制御部、１２  ＤＲＡＭ、１３  操作表示部、１５  画像読取り部、１６  画像形成部、１７  ハードディスク、１８  ＦＡＸ通信部、１９ネットワークＩＦ部、２０  公衆回線、２１  ネットワーク、２２ａ〜２２ｃ  パソコン、２２２  入力部、２２３  表示部、２２４  メモリ、２２５  ＩＦ部。
【図１】
2008187521.tif 000003
【図２】
2008187521.tif 000004
【図３】
2008187521.tif 000005
【図４】
2008187521.tif 000006
【図５】
2008187521.tif 000007